(57)【特許請求の範囲】
【請求項１】
取出口を設けるための切込線が形成された包装フィルムで積層状に折り畳まれたシートを包装した衛生用紙包装体を保持する包装体保持部と、
衛生用紙ロールをその中空部に保持軸を挿し込んで回転可能に保持するロール保持部と、を備え、
前記包装体保持部は、前記包装フィルムの前記取出口が設けられる面を立てた状態で同面の位置を規制して保持するとともに前記取出口を露出させ、
前記ロール保持部は、前記保持軸の前記中空部から延出する両端部をそれぞれ支持して案内する傾斜した一対のスライドガイドと、前記衛生用紙ロールから巻出して衛生用紙を取出し可能にする取出部とを有し、
前記保持軸及び前記衛生用紙ロールの自重に従って前記スライドガイドが前記保持軸を低位ほど前記取出口が設けられる面が規制される位置に近づくように案内することにより、前記包装体保持部に保持された前記衛生用紙包装体に対し、前記包装フィルムの表面であって前記取出口が設けられる面の反対面を前記衛生用紙ロールの外周面によって押圧するようにされた衛生用紙ホルダー。
【請求項２】
天面板部材、底面板部材、前面板部材、左右一対の側面板部材、背面板部材を有した箱体を備え、
前記前面板部材が前記包装フィルムの前記取出口が設けられる面の位置を規制するとともに前記底面板部材が前記衛生用紙包装体を下支えして保持し、
前記前面板部材に前記取出口を露出させる開口部が形成され、
前記左右一対の側面板部材に前記スライドガイドが設けられ、
前記取出部が前記箱体の天面又は底面に設けられた請求項１に記載の衛生用紙ホルダー。
【発明の詳細な説明】
【技術分野】
【０００１】
本発明は、衛生用紙を取出可能に保持する衛生用紙ホルダーに関する。
【背景技術】
【０００２】
良く知られるように衛生用紙ロールや、衛生用紙包装体が提供されて利用されている。ここで、衛生用紙包装体とは、取出口を設けるための切込線が形成された包装フィルムで積層状に折り畳まれたシートを包装したものを指す。
衛生用紙ロールの場合、ロールの中空部に挿し込まれる保持軸と、上下に回動可能にヒンジ固定された上蓋カバー等とを有する衛生用紙ホルダー（トイレットペーパーロールホルダーなど）が一般的に利用されている。上蓋カバー等により衛生用紙ロールの外周面が適度に押圧されることによって、衛生用紙の巻出し時やカット時に回転に対する適度な制動圧が発生し、使い勝手がよくされている。その他に特許文献１，２に記載されるように箱状のホルダーが利用され得る。
衛生用紙包装体の場合、包装フィルムに設けられたミシン目など切込線に沿って取出口が開口形成された後、取出口を通してシートが摘み上げられて利用される。ホルダーとしては、特許文献１，２にも記載されるように箱状のホルダーが利用され得る。
ところで、衛生用紙包装体の場合は、消費によりシート枚数が少なくなると取出口が大きく広がり、シートが取出口に引っかからなくなり、最後はシートを取り出しにくくなるという取り出し性維持の問題がある。
また、衛生用紙ロールの場合、上述した回転に対する制動圧が適度に働いていないと、取り出し性が悪化するという問題がある。
特許文献１，２に記載の収納容器にあっては、収納容器に設けられ取出口の方向に衛生用紙を押さえつけるための弾性部材等を収納容器内に備えているため、衛生用紙包装体を収納した場合も衛生用紙ロールを収納した場合もその取り出し性の維持が図られる。
【先行技術文献】
【特許文献】
【０００３】
【特許文献１】特許第５６００１９０号公報
【特許文献２】特許第５３５２１７２号公報
【発明の概要】
【発明が解決しようとする課題】
【０００４】
しかし、特許文献１，２に提案されている収納容器によれば、衛生用紙ロールと衛生用紙包装体の両方を同時に保持できないという問題がある。
また、衛生用紙の取り出し性を維持するために弾性部材を設置しているために、部品が増えて複雑化するという問題、デッドスペースが増えて大型化するという問題がある。
【０００５】
本発明は以上の従来技術における問題に鑑みてなされたものであって、衛生用紙ロールと衛生用紙包装体の両方を同時に保持でき、衛生用紙の取り出し性を良好に維持できる衛生用紙ホルダーを提供することを課題とする。
【課題を解決するための手段】
【０００６】
以上の課題を解決するための請求項１記載の発明は、取出口を設けるための切込線が形成された包装フィルムで積層状に折り畳まれたシートを包装した衛生用紙包装体を保持する包装体保持部と、
衛生用紙ロールをその中空部に保持軸を挿し込んで回転可能に保持するロール保持部と、を備え、
前記包装体保持部は、前記包装フィルムの前記取出口が設けられる面を立てた状態で同面の位置を規制して保持するとともに前記取出口を露出させ、
前記ロール保持部は、前記保持軸の前記中空部から延出する両端部をそれぞれ支持して案内する傾斜した一対のスライドガイドと、前記衛生用紙ロールから巻出して衛生用紙を取出し可能にする取出部とを有し、
前記保持軸及び前記衛生用紙ロールの自重に従って前記スライドガイドが前記保持軸を低位ほど前記取出口が設けられる面が規制される位置に近づくように案内することにより、前記包装体保持部に保持された前記衛生用紙包装体に対し、前記包装フィルムの表面であって前記取出口が設けられる面の反対面を前記衛生用紙ロールの外周面によって押圧するようにされた衛生用紙ホルダーである。
【０００７】
請求項１記載の発明によれば、包装体保持部及びロール保持部を備えるので、衛生用紙ロールと衛生用紙包装体の両方を同時に保持でき、保持軸及び衛生用紙ロールの自重により、包装体保持部に保持された衛生用紙包装体に対し、包装フィルムの表面であって取出口が設けられる面の反対面を衛生用紙ロールの外周面によって押圧するので、消費によりシート枚数が少なくなっても衛生用紙包装体からのシートの取り出し性を良好に維持できるとともに、上記押圧の反作用により衛生用紙の巻出し時やカット時に衛生用紙ロールの回転に対する制動圧が適度に働いて衛生用紙ロールから巻出してカットして衛生用紙を取り出す際の取り出し性を良好に維持することができる。
【０００８】
請求項２記載の発明は、天面板部材、底面板部材、前面板部材、左右一対の側面板部材、背面板部材を有した箱体を備え、
前記前面板部材が前記包装フィルムの前記取出口が設けられる面の位置を規制するとともに前記底面板部材が前記衛生用紙包装体を下支えして保持し、
前記前面板部材に前記取出口を露出させる開口部が形成され、
前記左右一対の側面板部材に前記スライドガイドが設けられ、
前記取出部が前記箱体の天面又は底面に設けられた請求項１に記載の衛生用紙ホルダーである。
【０００９】
請求項２記載の発明によれば、衛生用紙包装体及び衛生用紙ロールを箱体に収容できるので、防汚効果、美観向上の効果が得られる。
【発明の効果】
【００１０】
本発明によれば、衛生用紙ロールと衛生用紙包装体の両方を同時に保持でき、衛生用紙の取り出し性を良好に維持できる。
【図面の簡単な説明】
【００１１】
【図１】本発明の第１実施形態に係る衛生用紙ホルダーの斜視図である。
【図２】本発明の第１実施形態に係る衛生用紙ホルダーの中央断面左方視図(a)及び上面図(b)である。
【図３】本発明の第１実施形態に係る衛生用紙ホルダーの中央断面左方視図(a1) (a2)及び上面図(b1) (b2)であり、図(a2) (b2)は、図(a1) (b1)に対し衛生用紙包装体内のシートが減った状態を示す。
【図４】本発明の第２実施形態に係る衛生用紙ホルダーの中央断面左方視図である。
【図５】本発明の第２実施形態に係る衛生用紙ホルダーの中央断面左方視図(a)(b)であり、図(b)は、図(a)に対し衛生用紙包装体内のシートが減った状態を示す。
【図６】その他の実施形態に係る一例の衛生用紙ホルダーの中央断面左方視図(a)、及び他の一例の衛生用紙ホルダーの中央断面左方視図(b)である。
【発明を実施するための形態】
【００１２】
以下に本発明の一実施形態につき図面を参照して説明する。以下は本発明の一実施形態であって本発明を限定するものではない。
なお、以下の説明では、衛生用紙ホルダー１００の開口部３１側を前後方向の前側（使用者側）とするとともにその反対側を後側とし、衛生用紙ホルダー１００の天面板部材１０側を上下方向の上側、底面板部材２０側を下側とし、上下方向及び前後方向の双方に直交する方向を左右方向とする。
【００１３】
〔第１実施形態〕
まず、本発明の第１実施形態の衛生用紙ホルダーにつき説明する。
図１〜図３に示すように本実施形態の衛生用紙ホルダー１００は、天面板部材１０、底面板部材２０、前面板部材３０、左右一対の側面板部材４０，５０、背面板部材６０を有した直方体状の箱体を本体とする。
【００１４】
ここで、衛生用紙は、例えば、キッチンペーパー、キッチンタオル、ペーパータオル、ティシュー等の紙製品が適用可能である。
また、衛生用紙ロールＲは、例えば、一定幅に形成された長尺のシートＲ１が円筒状のロール芯にロール状に巻回されて構成されている。長尺のシートＲ１は、所定の間隔毎に幅方向に延在する破断用のミシン目が形成されていても良い。また、衛生用紙ロールＲの寸法は、例えば、巻径（ロール径）がφ１００〜１３０[mm]で、幅（左右方向の長さ）が２００〜３００[mm]で、ロール芯径がφ３５〜４５[mm]であるが、一例であってこれに限られるものではない。
また、衛生用紙包装体Ｐは、例えば、複数枚のシートＰ１が交互に重ねて積層されたものが包装フィルムＰ３により包装されて構成されている。包装フィルムＰ３の一面には、例えば、所定方向に延在する直線状のミシン目が設けられ、このミシン目が切り開かれることで当該包装フィルムＰ３の内側から取り出されるシートＰ１の取出口が形成される。また、衛生用紙包装体Ｐの寸法は、例えば、高さ（前後方向の長さ）が３０〜１１０[mm]で、幅（左右方向の長さ）が２００〜３００[mm]で、奥行（上下方向の長さ）が６０〜１３０[mm]であるが、一例であってこれに限られるものではない。
【００１５】
また、衛生用紙は、特に限定されず１プライ、または２プライ以上の複数プライのものとすることができる。衛生用紙には、適宜のエンボスが施されていてもよい。
また、本発明に係る衛生用紙は、例えば、ＪＩＳ Ｐ ８１２４（１９９８年）に基づく１プライ当たりの米坪が１０〜７０[g/m２]とする。また、紙厚は、試験片をＪＩＳ Ｐ ８１１１（１９９８年）の条件下で十分に調湿した後、同条件下でダイヤルシックネスゲージ（厚み測定器）「ＰＥＡＣＯＣＫ Ｈ型」（尾崎製作所製）を用いて測定し、１５０〜５００[μm]とする。乾燥引張紙力はＪＩＳ  Ｐ  ８１１３に基づき、乾燥引張紙力（縦）が８００〜３,０００[cN]、乾燥引張紙力（横）が４００〜２,０００[cN]である。湿潤引張紙力はＪＩＳ  Ｐ  ８１３５に基づき、湿潤引張紙力（縦）が２００〜１,５００[cN]、湿潤引張紙力（横）が１００〜１,０００[cN]であり、伸び率（引張破断伸）が１０〜４０[％]のものである。なお、各引張紙力及び伸び率における試料は、２５[mm]幅での測定値である。
【００１６】
衛生用紙ホルダー１００は、例えば、外形が扁平な直方体状に形成されている。また、衛生用紙ホルダー１００の寸法は、例えば、左右方向の長さが２１０〜３１０[mm]で、前後方向の長さが１１０〜１５０[mm]で、上下方向の長さが１７０〜２７０[mm]であるが、一例であってこれに限られるものではなく、衛生用紙ロールＲ及び衛生用紙包装体Ｐを収納可能であれば足りる。
【００１７】
天面板部材１０は、衛生用紙ホルダー１００の上端開口を覆う蓋体でありヒンジ１１，１１を介して背面板部材６０の上端に連結され開閉可能にされている。天面板部材１０を他の部材に連結せず、単に嵌め込み式等の蓋としてもよい。
底面板部材２０は、衛生用紙ホルダー１００の底面を覆う。但し、底面板部材２０に取出部となる開口部２１が形成されている。すなわち、開口部２１は、衛生用紙ロールＲから巻出して衛生用紙Ｒ１を取出し可能にする取出部となる。
【００１８】
前面板部材３０は、衛生用紙ホルダー１００の前面を覆う。但し、前面板部材３０に取出口Ｐ３を露出させる開口部３１が形成されている。ここで、取出口Ｐ３とは、衛生用紙包装体Ｐに設けられる取出口Ｐ３である。図３に示すように衛生用紙包装体Ｐは、取出口Ｐ３を設けるための切込線が形成された包装フィルムＰ２で積層状に折り畳まれたシートＰ１を包装したものである。包装フィルムＰ２に取出口Ｐ３が開けられた後、衛生用紙包装体Ｐは包装体保持部ＨＰに設置される。衛生用紙包装体Ｐが包装体保持部ＨＰに設置されるとき、包装体保持部ＨＰは、包装フィルムＰ２の取出口Ｐ３が設けられる面Ｐ４を立てた状態で同面の位置を前面板部材３０によって規制して保持するとともに、取出口Ｐ３を開口部３１によって前面に露出させる。
また、底面板部材２０が衛生用紙包装体Ｐを下支えして保持し、左右一対の側面板部材４０，５０が衛生用紙包装体Ｐの左右側面を規制し、これにより取出口Ｐ３が開口部３１に配置される。底面板部材２０のうち開口部２１より前方の部分が衛生用紙包装体Ｐを下支えする。衛生用紙ホルダー１００の底面に衛生用紙包装体Ｐを下支えする部材が確保されれば、同底面はその残部すべてを開放してもよい。
【００１９】
開口部２１、３１の寸法は、左右方向の長さが例えば、１９０〜２９０[mm]である。開口部２１の左右方向の長さと、開口部３１の左右方向の長さとが等しい必要はない。開口部２１の左右方向の長さは、シートＲ１の左右方向の長さを超える必要がある。シートＲ１を円滑に取り出すためである。開口部３１の左右方向の長さは、シートＰ１の左右方向の長さを超える必要はなく、取出口Ｐ３の全部を露出させる必要もない。開口部３１は少なくともシートＰ１の左右方向の中央部において取出口Ｐ３を前面に露出させ、取出口Ｐ３及び開口部３１を通してシートＰ１を取り出せれば足りる。このとき、取出口Ｐ３が衛生用紙包装体Ｐの左右方向の一端から逆端までに亘って形成されていても、取出口Ｐ３の左右両端部は開口部３１を介して露出していなくてもよい。
また、開口部２１の前後方向の長さが例えば１０〜２０[mm]、開口部３１の上下方向の長さが例えば１０〜２０[mm]である。開口部２１の前後方向の長さと、開口部３１の上下方向の長さとが等しい必要はない。
以上の寸法は一例であってこれに限定されるものではない。
【００２０】
左右一対の側面板部材４０，５０は、衛生用紙ホルダー１００の左側面を覆う左側面板部材４０と、衛生用紙ホルダー１００の右側面を覆う右側面板部材５０とからなる。
左側面板部材４０の内面にはスライドガイド溝４１が形成されている。右側面板部材５０の内面にはスライドガイド溝５１が形成されている。スライドガイド溝４１とスライドガイド溝５１とは、保持軸７０の中空部ＲＣから延出する両端部をそれぞれ支持して案内する傾斜した一対のスライドガイドを構成する。図３に示すようにロール保持部ＨＲは、衛生用紙ロールＲをその中空部ＲＣに保持軸７０を挿し込んで回転可能に保持する構成を有し、スライドガイド溝４１，５１が保持軸７０を案内する。
中空部ＲＣに挿通した保持軸７０が底面板部材２０及び前面板部材３０に平行にされ、その両端がスライドガイド溝４１，５１に係合して保持軸７０が左右一対の側面板部材４０，５０間に架設されることで、衛生用紙ロールＲが衛生用紙ホルダー１００に保持される。
【００２１】
また、保持軸７０の寸法は、例えば、径がφ２０〜３０[mm]であるが、一例であってこれに限られるものではない。保持軸７０の外径は、ロール芯の内径、すなわち、中空部ＲＣの直径を超えないことが好ましい。衛生用紙ロールＲを回転させるためである。
【００２２】
背面板部材６０は、衛生用紙ホルダー１００の背面を覆う。衛生用紙ホルダー１００は壁などに固定されて使用される。その際、背面板部材６０は壁面に合わされる。例えば、衛生用紙ホルダー１００がトイレの壁面に固定され、衛生用紙ロールＲがトイレットペーパーロールとされ、衛生用紙包装体Ｐがタオルペーパーとされて使用される。背面板部材６０に固定用のネジを通す孔を設けてもよい。
【００２３】
スライドガイド溝４１，５１は互いに対称形状である。スライドガイド溝４１，５１はその上端が側面板部材４０，５０の上端に開放されている。保持軸７０をスライドガイド溝４１，５１に入れるためである。
スライドガイド溝４１，５１は、略円弧状のスロープを構成しており、その上端から下端へ変遷するに従って前面板部材３０に近づくように配向されている。すなわち、保持軸７０及び衛生用紙ロールＲの自重に従ってスライドガイド溝４１，５１が保持軸７０を低位ほど取出口Ｐ３が設けられる面Ｐ４が規制される位置（前面板部材３０の内面位置）に近づくように案内する。これにより、図３に示すように包装体保持部ＨＰに保持された衛生用紙包装体Ｐに対し、包装フィルムＰ２の表面であって取出口Ｐ３が設けられる面Ｐ４の反対面（底面Ｐ５）を衛生用紙ロールＲの外周面によって押圧するようにされている。
したがって、図３(a1)(b1)に示すように、保持軸７０及び衛生用紙ロールＲの自重に起因した力で衛生用紙ロールＲの外周面が衛生用紙包装体Ｐの底面Ｐ５を押圧し、シートＰ１の消費により包装フィルムＰ２内に残るシートＰ１の残量が減少していっても、（それと並行して衛生用紙Ｒ１の消費が有っても無くても）図３(a2)(b2)に示すように、保持軸７０がスライドガイド溝４１，５１に沿って前方に移動し、これに伴って保持軸７０に保持された衛生用紙ロールＲが前方に移動することによって、衛生用紙ロールＲの外周面が衛生用紙包装体Ｐの底面Ｐ５を押圧し、包装フィルムＰ２内に残るシートＰ１を前面板部材３０の内面位置に寄せることができる。
【００２４】
以上のような衛生用紙ホルダー１００によれば、包装体保持部ＨＰ及びロール保持部ＨＲを備えるので、衛生用紙ロールＲと衛生用紙包装体Ｐの両方を同時に保持できる。
さらに衛生用紙ホルダー１００によれば、保持軸７０及び衛生用紙ロールＲの自重により、包装体保持部ＨＰに保持された衛生用紙包装体Ｐに対し、包装フィルムＰ２の表面であって取出口Ｐ３が設けられる面Ｐ４の反対面の底面Ｐ５を衛生用紙ロールＲの外周面によって押圧するので、消費によりシートＰ１の枚数が少なくなっても衛生用紙包装体ＰからのシートＰ１の取り出し性を良好に維持できるとともに、上記押圧の反作用により衛生用紙の巻出し時やカット時に衛生用紙ロールＲの回転に対する制動圧が適度に働いて衛生用紙ロールＲから巻出してカットして衛生用紙Ｒ１を取り出す際の取り出し性を良好に維持することができる。
また、衛生用紙ホルダー１００によれば、衛生用紙包装体Ｐ及び衛生用紙ロールＲを箱体に収容できるので、衛生用紙包装体Ｐ及び衛生用紙ロールＲを汚れや水分から守る防汚効果、衛生用紙包装体Ｐ及び衛生用紙ロールＲを露出させずに箱体外面を清潔に保ったり装飾したりすることによる美観向上の効果が得られる。
【００２５】
衛生用紙包装体Ｐと衛生用紙ロールＲとの間に仕切りがなく、包装体保持部ＨＰとロール保持部ＨＲとは衛生用紙ホルダー１００内の空間を共用するので、衛生用紙ホルダー１００は小型省スペースに構成される。
仕切りがなく、包装体保持部ＨＰとロール保持部ＨＲとが衛生用紙ホルダー１００内の空間を共用するから、未使用時寸法で、比較的厚い衛生用紙包装体Ｐを設置する場合は衛生用紙ロールＲが後退し、比較的薄い衛生用紙包装体Ｐを設置する場合は衛生用紙ロールＲが前進して設置されるとともに、比較的大径の衛生用紙ロールＲを設置できる。
【００２６】
スライドガイド（スライドガイド溝４１，５１）の案内軌道は、円弧状以外の自由な曲線に設計できるし、曲線に限らず、直線状であってもよい。
スライドガイドの案内軌道上における傾斜角、保持軸７０の重量、保持軸７０とスライドガイドとの摩擦係数、これらを設計することで、衛生用紙ロールＲと衛生用紙包装体Ｐとの適度な押圧力を達成できる。
【００２７】
〔第２実施形態〕
次に、本発明の第２実施形態の衛生用紙ホルダーにつき説明する。
図４及び図５に示すように本実施形態の衛生用紙ホルダー１０１は、上記第１実施形態の構成に対し、保持軸７０の逆戻し防止弁８１，８２をスライドガイド溝４１，５１に設けたものであり、その他の構成は上記第１実施形態と同じである。
図４に示すように、複数の防止弁８１は、スライドガイド溝４１の上側面に基端が取り付けられ、先端はスライドガイド溝４１に沿ってスライドガイド溝４１の下端方向に向けられる。
他の複数の防止弁８２は、スライドガイド溝４１の下側面に基端が取り付けられ、先端はスライドガイド溝４１に沿ってスライドガイド溝４１の下端方向に向けられる。
スライドガイド溝５１に対しても同様に逆戻し防止弁８１，８２が設けられている。
【００２８】
このような衛生用紙ホルダー１０１によれば、図５に示すように一旦下がった位置（前方に寄った位置）から保持軸７０を逆戻りしないように保持することができる。
したがって、例えば、使用者が手指を開口部３１から挿入して衛生用紙包装体Ｐを押すことがあっても、衛生用紙包装体Ｐの後退が抑えられ、使用者がシートＰ１を摘まみ出すことができるなど、使い勝手が良くなる。
【００２９】
〔その他の実施形態〕
以上の実施形態にあっては、衛生用紙ロールＲから巻出して衛生用紙Ｒ１を取出し可能にする取出部が、６面の板部材１０，２０，３０，４０，５０，６０からなる箱体の底面に設けられたが、同取出部を同箱体の天面に設けてもよい。
その場合、例えば、図６(a)に示すように天面板部材１０の縁周りに生じる隙間や、図６(b)に示すように天面板部材１０に形成した開口部１２を同取出部とする変形形態を実施できる。もちろん、上記第２実施形態から変形してもよい。
また、以上の実施形態にあっては、天面板部材１０を開閉可能とすることにより、衛生用紙包装体Ｐ及び衛生用紙ロールＲの同箱体に対する出し入れが可能にされている。これに拘わらず、天面以外の部位を開閉可能とすることで、衛生用紙包装体Ｐ及び衛生用紙ロールＲの同箱体に対する出し入れを可能にしてもよい。その開閉は、本体に連結状態での開閉のみならず、取り外しによる開閉でもよい。
【符号の説明】
【００３０】
１０   天面板部材
１１   ヒンジ
１２   開口部
２０   底面板部材
２１   開口部
３０   前面板部材
３１   開口部
４０   左側面板部材
４１   スライドガイド溝
５０   右側面板部材
５１   スライドガイド溝
６０   背面板部材
７０   保持軸
８１   逆戻し防止弁
８２   逆戻し防止弁
１００ 衛生用紙ホルダー
１０１ 衛生用紙ホルダー
ＨＰ   包装体保持部
ＨＲ   ロール保持部
Ｐ     衛生用紙包装体
Ｐ１   衛生用紙包装体のシート
Ｐ２   包装フィルム
Ｐ３   衛生用紙包装体の取出口
Ｐ４   衛生用紙包装体の取出口を有する面
Ｐ５   衛生用紙包装体の底面  
Ｒ     衛生用紙ロール
Ｒ１   衛生用紙ロールのシート
ＲＣ   衛生用紙ロールの中空部
【図１】
0006483493.tif 000002
【図２】
0006483493.tif 000003
【図３】
0006483493.tif 000004
【図４】
0006483493.tif 000005
【図５】
0006483493.tif 000006
【図６】
0006483493.tif 000007